(57)【要約】      （修正有）【課題】叩き方式によって人体に接触し、生活保健の効果を生じる叩き装置を提供する。【解決手段】回転運動を提供するためのモーター２と、殻体内に装着され、モーター２に動力を提供するための電源３と、モーター２の動力出力軸に接続され、モーター２の動力を伝送するための伝動構造と、叩き構造５と、を含み、叩き構造５には、前記伝動構造によって連動する少なくとも一つの回転盤５１を備え、回転盤５１の変位軸心には突起ブロック５２が設置され、突起ブロック５２の上には環状体５３がセットされ、環状体５３には叩き棒５４が連結され、叩き棒５４は殻体の外へ延伸している。これによって、モーター２の動力が伝動構造を経由して叩き構造５へ伝送され、一方、叩き構造５は変位軸心の突起ブロック５２の設置によって、回転盤５１が回転するとき、叩き棒５４を前後に伸縮させ、叩き棒５４を人体に接触させて叩く。【選択図】図１
0003147877.tif 000002
【実用新案登録請求の範囲】
【請求項１】
叩き装置であって、
殻体と、殻体内に装着したモーターと、殻体内に装着し、モーターに動力を提供するための電源と、前記モーターの動力出力軸に接続され、前記モーターの動力を伝送するための伝動構造と、叩き構造と、を含み、
前記叩き構造には、前記伝動構造によって連動される少なくとも一枚の回転盤を備え、
前記回転盤の変位軸心には、突起ブロックを設置してあり、
前記突起ブロックには、環状体をセットしてあり、
前記環状体には、叩き棒が連結され、
前記叩き棒は、殻体の外に延伸してあり、
前記叩き棒の環状体は、叩き棒の伸び出る方向に垂直にある長さ分延伸してあり、
前記回転盤が回転するとき、前記突起ブロックが前記環状体内で移動することによって、前記叩き棒が始終単一方向の前後運動を維持するようにしたことを特徴とする、
叩き装置。
【請求項２】
前記伝動構造には、主動ギヤと受動ギヤとを含み、前記主動ギヤは、モーターの出力軸によって回転され、前記受動ギヤは、主動ギヤに噛合して連動回転し、前記叩き構造の回転盤は、受動ギヤと同じ軸心で設置され、且つ受動ギヤと同期して連動回転されることを特徴とする、請求項１に記載の叩き装置。
【請求項３】
前記叩き構造の回転盤は、伝動構造に噛合したクラウンギヤの上に結合され、前記伝動構造には、モーターの出力軸によって回転し、更に回転盤を回転させる主動ギヤを含み、或いは、前記主動ギヤに別途受動ギヤを組み合わせ、前記クラウンギヤを受動ギヤに噛合させて回転盤を回転させ、前記クラウンギヤによって回転盤の回転方向を変更することを特徴とする、請求項１に記載の叩き装置。
【請求項４】
前記伝動構造には、モーターの出力軸によって回転するタービンを含み、前記叩き構造の回転盤には、ギヤが結合され、前記回転盤のギヤは更にタービンに噛合し、前記タービンによって回転盤の回転方向を変更することを特徴とする、請求項１に記載の叩き装置。
【請求項５】
前記叩き装置上の叩き棒は、複数個設置され、各叩き棒の突起ブロックは、その回転盤軸心に対して適当な角度で変位し、各叩き棒が同一時間内に殻体から異なる長さで伸び出し、連続的に叩き効果を生じるようにしたことを特徴とする、請求項１に記載の叩き装置。
【考案の詳細な説明】
【技術分野】
【０００１】
本考案は、叩き装置（打撃式マッサージ装置）、特にギヤ伝動によって、叩き装置の叩き棒を中心軸に沿って伸縮運動を行わせ、人体に接触して叩き効果を生じる保健装置に関するものである。
【背景技術】
【０００２】
文明の進歩によって、現代人の生活水準は普遍的に向上した。又医療保健の発達によって、人類の平均寿命が大幅に延長されている。
【０００３】
しかし、人類の生活形態の変化によって、現代人は運動量が不足するのみならず、飲食面も節制知らずで、しかも生活が不規則であるため、人体の免疫機能が失調し、健康状態がよくなく、更には病気に掛かり易い。
【０００４】
そのため、個人の健康を向上させ、病痛による困惑を減らすことは、現代人の軽視できない問題である。
【０００５】
従来の保健行為の中では、人体表面を叩いてからだの健康を増進する方法は、既に周知の事実である。唯一つ考慮すべきことは、使用する器材の種類及び便利さである。
【０００６】
台湾特許Ｍ３２５２２３号は、モーターに遠心ブロックを装着し、回転時に生じる遠心力を利用して振動を起こす。ただこの装置は、振動方式を採用しており、叩き効果を備えていない。
【０００７】
又、台湾特許Ｍ３２０３８８号は、遠心ブロックによって遠心力振動を生じるほか、別途突起ブロックを備えた回転盤を駆動して回転させ、前記ブロックを人体に接触させる運動を行うもので、同様に叩き効果を備えていない。
【０００８】
そして、台湾特許請求８６２０９９７７号は、ギヤ伝動によって複数のスライドロッドに平面的な環状運動を生じさせるもので、やはり叩き効果を備えていない。
【０００９】
従って、従来の電動保健器材には叩き効果の装置を備えておらず、良好な実用的保健効果が得られず、改良が待たれていた。
【００１０】
本件の考案者は、上述従来の保健器材の不足部分に鑑み、鋭意研究し、ついに本件叩き装置の研究開発に成功した。
【考案の開示】
【考案が解決しようとする課題】
【００１１】
本考案の目的は、叩き方式によって人体に接触し、生活保健の効果を生じる叩き装置を提供することにある。
本考案のもう一つの目的は、構造が簡単、操作が容易で、製品の普及使用に有利な叩き装置を提供することにある。
本考案の又もう一つの目的は、種類が多く、調整設計が容易で、異なるユーザーに対して最適状態に調整できる叩きの形式を提供することにある。
【課題を解決するための手段】
【００１２】
上述実用新案の目的を達成できる叩き装置は、殻体と、モーターと、電源と、伝動構造及び叩き構造を含む。前記殻体は、その他の構造を収容するスペースを提供し、前記モーターは、殻体の中に装着され、前記伝動構造及び叩き構造を駆動させる力を生じさせるものであり、前記伝動構造は前記モーターの動力出力軸に接続され、前記モーターを連動させることによってモーターの動力を伝送する。
【００１３】
前記叩き構造には、少なくとも、前記伝動構造によって駆動される回転盤を備え、前記回転盤の変位軸心に突起ブロックが設置され、前記突起ブロックの上に環状体がセットされ、前記環状体には叩き棒が連結されている。
前記叩き棒は、殻体の外へ延伸されている。
本考案に係る叩き装置が起動すると、前記モーターの動力が伝動構造を経由して叩き構造へ伝わり、そして、前記叩き構造は変位軸心の突起ブロックの設置によって、前記回転盤が回転するとき、叩き棒を連動して前後に伸縮させ、前記叩き棒を人体に接触させて叩き、保健効果を生じさせる。
【００１４】
すなわち、本願の第１考案は、叩き装置であって、殻体と、殻体内に装着したモーターと、殻体内に装着し、モーターに動力を提供するための電源と、前記モーターの動力出力軸に接続され、前記モーターの動力を伝送するための伝動構造と、叩き構造と、を含み、前記叩き構造には、前記伝動構造によって連動される少なくとも一枚の回転盤を備え、前記回転盤の変位軸心には、突起ブロックを設置してあり、前記突起ブロックには、環状体をセットしてあり、前記環状体には、叩き棒が連結され、前記叩き棒は、殻体の外に延伸してあり、前記叩き棒の環状体は、叩き棒の伸び出る方向に垂直にある長さ分延伸してあり、前記回転盤が回転するとき、前記突起ブロックが前記環状体内で移動することによって、前記叩き棒が始終単一方向の前後運動を維持するようにしたことを特徴とする、叩き装置である。
【００１５】
また、本願の第２考案は、前記伝動構造には、主動ギヤと受動ギヤとを含み、前記主動ギヤは、モーターの出力軸によって回転され、前記受動ギヤは、主動ギヤに噛合して連動回転し、前記叩き構造の回転盤は、受動ギヤと同じ軸心で設置され、且つ受動ギヤと同期して連動回転されることを特徴とする、本願の第１考案に記載の叩き装置。
【００１６】
また、本願の第３考案は、前記叩き構造の回転盤は、伝動構造に噛合したクラウンギヤの上に結合され、前記伝動構造には、モーターの出力軸によって回転し、更に回転盤を回転させる主動ギヤを含み、或いは、前記主動ギヤに別途受動ギヤを組み合わせ、前記クラウンギヤを受動ギヤに噛合させて回転盤を回転させ、前記クラウンギヤによって回転盤の回転方向を変更することを特徴とする、本願の第１考案に記載の叩き装置。
【００１７】
また、本願の第４考案は、前記伝動構造には、モーターの出力軸によって回転するタービンを含み、前記叩き構造の回転盤には、ギヤが結合され、前記回転盤のギヤは更にタービンに噛合し、前記タービンによって回転盤の回転方向を変更することを特徴とする、本願の第１考案に記載の叩き装置。
【００１８】
また、本願の第５考案は、前記叩き装置上の叩き棒は、複数個設置され、各叩き棒の突起ブロックは、その回転盤軸心に対して適当な角度で変位し、各叩き棒が同一時間内に殻体から異なる長さで伸び出し、連続的に叩き効果を生じるようにしたことを特徴とする、本願の第１考案に記載の叩き装置。
【考案の効果】
【００１９】
本考案は、その他の従来技術に比べ、更に下記のような長所がある。
（１）本考案は、叩き方式で人体に接触し、従来の叩き保健方式で体の健康を守る効果を達成する。
（２）本考案は、構造が簡単で使い易く、しかも携帯に便利で、ユーザーはいつでも取り出して使用し、必要な部位に叩き保健を行い、体の健康を守ることができる。
（３）本考案は様式変化が容易で、異なるユーザーに対してそのニーズに従って選択し、最も適宜な叩き保健効能を提供できる。
【考案を実施するための最良の形態】
【００２０】
図１から図４は、本考案に係る叩き装置の第一実施例であり、殻体１と、モーター２と、電源３と、伝動構造４、及び叩き構造５を主として含む。
前記殻体１は、その他の構造に収容スペースを提供し、その造形は無限の変化があり、ここでは制限しない。
前記モータ２は殻体１の中に装着され、前記伝動構造４及び叩き構造５を駆動させる力を生じ、且つ前記電源３によって動力を提供する。
前記電源３は、本実施例中では電池であり、実際に応用するときは、交流・直流転換回路を使用し、市電に接続して必要な電力に転換してもよい。
前述殻体１、モーター２、電源３の構造は周知の技術であり、ここでは説明を省く。
【００２１】
本考案の主な特徴は、前記伝動構造４及び叩き構造５及びその配置にある。前記伝動構造４は、前記モーター２の動力出力軸に接続され、前記モータ２によって連動回転され、前記モータ２の動力を伝送するためのものである。
前記叩き構造５には、前記伝動構造４によって連動される少なくとも一個の回転盤５１を備え、前記回転盤５１の変位軸心に環状体５３をセットした突起ブロック５２を設置し、前記環状態５３には殻体１の外に延伸された叩き棒５４が連結されている。
【００２２】
以上の構造によって、本考案に係る叩き装置が起動されるときは、前記モータ２の動力が伝動構造４を経由して叩き構造５へ伝送される、そして前記叩き構造５は、変位軸心の突起ブロック５２の設置によって、前記回転盤５１が回転するとき叩き棒５４を前後に伸縮させ、前記叩き棒５４が人体に接触して叩き保健の効果を生じさせるようにする。
【００２３】
更に説明すると、前記伝動構造４には、主動ギヤ４１と受動ギヤ４２が含まれる。前記主動ギヤ４１は、モーター２の出力軸によって連動回転し、一方前記受動ギヤ４２は、主動ギヤ４１に噛合して回転する。
前記叩き構造５の回転盤５１は、受動ギヤ４２と同心軸で設置され、前記受動ギヤ４２と同期して回転する。主動ギヤ４１と受動ギヤ４２のギヤ比例を変更することによって、前記叩き棒５４の叩きテンポを調整することができる。
【００２４】
前述叩き装置５上の叩き棒５４は、複数個設置される。
例えば、本実施例では四個ある、各叩き棒５４には独立した回転盤５１及び突起ブロックを備えている。さらに空間を考慮して、主動ギヤ４１一個で受動ギヤ４２二個を駆動させ、各受動ギヤ４２には、上下同軸心でそれぞれ一個の叩き棒５４及び関連部品を配置できる。
こうすることによって、前記モータ２が起動すると、四個の叩き棒５４の叩き効果が得られる。そして、各叩き棒５４の突起ブロック５２は、回転盤５１の軸心変位に対して適当な角度を持ち、各叩き棒５４を同一時間中に殻体１から異なる長さで伸び出させることができる。
このようにして、異なる叩き棒５４が、異なる時間中にそれぞれ人体に接触し、リズム感のある連続叩き効果を生じることができる。
【００２５】
また、前記叩き棒５４の環状体５３は、叩き棒５４の伸び出る方向に垂直に或る長さで延伸し、前記突起ブロック５２を環状体５３の中で変位運動させることができる。
前記回転盤５１が回転するとき、前記環状体５２の作用で叩き棒５４を押して運動させる。
しかし、突起ブロック５２は環状体５３の中で移動しなければならないので、前記突起ブロック５２が叩き棒５４の軸線から変位するとき、前記環状体５３の延伸長さはその変位した距離を補償することができる。
従って、前記叩き棒５４は軸線の単一方向に前後運動を保つことができ、その力を完全に人体の上に作用させ、横方向に力を損耗させることは無い。
【００２６】
図５から図８までは、本考案に係る叩き装置の第二実施例である。
その違いは、前記叩き構造５の回転盤５１が、クラウンギヤ５５に結合されていることである。クラウンギヤ５５と言うのは、歯面がその円周外縁の平面上に設置されている。前記クラウンギヤ５５の特徴は、その回転平面と受動ギヤ４２の回転平面が相互に９０度で配置されていることにある。
従って、前記クラウンギヤ５５を受動ギヤ４２に噛合して連動回転させ、前記クラウンギヤ５５によって回転盤５１の回転方向を変更することによって、前記叩き棒５４を主動ギヤ５１の軸心方向に並行して上下伸縮動作をさせることができる。
同様に、本実施例には四個の叩き棒５４が設置され、受動ギヤ４２毎に二個の叩き棒５４を配置し、各叩き棒５４の突起ブロック５２は、回転盤５１の軸心変位に対して適当な角度を保ち、各叩き棒５４が同一時間中に殻体１から異なる長さで伸び出し、連続的叩き効果を生じさせる。
【００２７】
図９から図１１までは、本考案に係る叩き装置の第三実施例である。前記実施例は、第一実施例の変化型で、その特徴は、片方のみの受動ギヤ４２及びその上下位置の叩き棒５４及び関連装置を含む。
前記二個の叩き棒５４の突起ブロック５２は、同様にその回転盤５１の軸心変位に対して適当な角度を保ち、連続的叩き効果を生じさせる。
【００２８】
図１２から図１４までは、本考案に係る叩き装置の第四実施例である。前記実施例も又第一実施例の変化型で、その特徴は、二個の受動ギヤ４２で僅か一個の叩き棒５４及び関連装置を連動させる。
もちろん、前記二個の叩き棒５４の突起ブロック５２は、同様にその回転盤５１の軸心変位に対して適当な角度を保ち、連続的叩き効果を生じさせる。
【００２９】
図１５から図１７までは、本考案に係る叩き装置の第五実施例である。前記実施例は第二実施例の変化型で、その特徴は、二個の受動ギヤ４２で僅か一個の叩き棒５４及び関連装置を連動させることにある。
【００３０】
図１８から図２０までは、本考案に係る叩き装置の第六実施例である。前記実施例も又、第二実施例の変化型で、その特徴は、受動ギヤの設置を捨て、二個の叩き棒５４のクラウンギヤ５５を直接主動ギヤ４１に噛合させて回転させ、空間配置を簡素化し、運動エネルギーの損耗を減少させ、出力パワーを増加させてある。
【００３１】
図２１から図２３までは、本考案に係る叩き装置の第七実施例である。前記実施例の伝動構造４をタービン４３に変え、モーター２の出力軸によって連動回転させるもので、前記叩き構造５の回転盤５１には、ギヤ５６を結合し、前記回転盤５１のギヤ５６がタービン４３に噛合するようにしてある。
タービン４３構造には、回転方向の変更及び伝動不可逆性の特性があるので、本実施例では回転盤５１の回転方向を変えることができると共に、一層安定した運動エネルギーの出力を提供することができる。
【００３２】
上述詳細な説明は、本考案の実施可能な一実施例の具体的説明である。
前記実施例は、本考案の特許請求範囲を制限するものではなく、凡そ本考案の精神を逸脱せずになされる等価の実施又は変更は、全て本考案に含まれるものとする。
【図面の簡単な説明】
【００３３】
【図１】本考案に係る叩き装置の第一種実施例の斜視図である。
【図２】前記第一種実施例の別角度による斜視図である。
【図３】前記第一種実施例の平面図である。
【図４】前記第一種実施例の正面図である。
【図５】本考案に係る叩き装置の第二種実施例の斜視図である。
【図６】前記第二種実施例の別角度による斜視図である。
【図７】前記第二種実施例の平面図である。
【図８】前記第二種実施例の正面図である。
【図９】本考案に係る叩き装置の第三種実施例の斜視図である。
【図１０】前記第三種実施例の平面図である。
【図１１】前記第三種実施例の前面図である。
【図１２】本考案に係る叩き装置の第四種実施例の斜視図である。
【図１３】前記第四種実施例の平面図である。
【図１４】前記第四種実施例の前面図である。
【図１５】本考案に係る叩き装置の第五種実施例の斜視図である。
【図１６】前記第五種実施例の平面図である。
【図１７】前記第五種実施例の前面図である。
【図１８】本考案に係る叩き装置の第六種実施例の斜視図である。
【図１９】前記第六種実施例の平面図である。
【図２０】前記第六種実施例の前面図である。
【図２１】本考案に係る叩き装置の第七種実施例の斜視図である。
【図２２】前記第七種実施例の平面図である。
【図２３】前記第七種実施例の前面図である。
【符号の説明】
【００３４】
１    殻体
２    モーター
３    電源
４    伝導構造
４１  主動ギヤ
４２  受動ギヤ
４３  タービン
５    叩き構造
５１  回転盤
５２  突起ブロック
５３  環状体
５４  叩き棒
５５  クラウンギヤ
５６  ギヤ
【図１】
0003147877.tif 000003
【図２】
0003147877.tif 000004
【図３】
0003147877.tif 000005
【図４】
0003147877.tif 000006
【図５】
0003147877.tif 000007
【図６】
0003147877.tif 000008
【図７】
0003147877.tif 000009
【図８】
0003147877.tif 000010
【図９】
0003147877.tif 000011
【図１０】
0003147877.tif 000012
【図１１】
0003147877.tif 000013
【図１２】
0003147877.tif 000014
【図１３】
0003147877.tif 000015
【図１４】
0003147877.tif 000016
【図１５】
0003147877.tif 000017
【図１６】
0003147877.tif 000018
【図１７】
0003147877.tif 000019
【図１８】
0003147877.tif 000020
【図１９】
0003147877.tif 000021
【図２０】
0003147877.tif 000022
【図２１】
0003147877.tif 000023
【図２２】
0003147877.tif 000024
【図２３】
0003147877.tif 000025